(57)【特許請求の範囲】
【請求項１】
電子番組ガイド情報を取得する取得手段と、
受信中の番組の映像を表示している場合において、所定のジャンルの番組を順次選局するときに操作される選局ボタンを表示することが指示されたとき、ジャンルの一覧を表示させる表示制御手段と、
前記取得手段により取得された前記電子番組ガイド情報を参照し、前記一覧から選択されたジャンルの番組を抽出する抽出手段と、
前記抽出手段により抽出された番組を放送するチャンネル番号を記憶する記憶手段と
を備え、
前記表示制御手段は、前記一覧から選択されたジャンルを表す文字を含む前記選局ボタンの画像を前記受信中の番組の映像に重ねて表示させ、前記選局ボタンが操作される毎に、前記選局ボタンの画像の表示はそのままに、そのとき表示されている番組の映像に代えて、前記記憶手段に記憶されているチャンネル番号で放送される番組の映像を順次表示させる
情報処理装置。
【請求項２】
電子番組ガイド情報を取得し、
受信中の番組の映像を表示している場合において、所定のジャンルの番組を順次選局するときに操作される選局ボタンを表示することが指示されたとき、ジャンルの一覧を表示させ、
取得した前記電子番組ガイド情報を参照し、前記一覧から選択されたジャンルの番組を抽出し、
抽出した番組を放送するチャンネル番号を記憶し、
前記一覧から選択されたジャンルを表す文字を含む前記選局ボタンの画像を前記受信中の番組の映像に重ねて表示させ、前記選局ボタンが操作される毎に、前記選局ボタンの画像の表示はそのままに、そのとき表示されている番組の映像に代えて、記憶しているチャンネル番号で放送される番組の映像を順次表示させる
ステップを含む情報処理方法。
【請求項３】
電子番組ガイド情報を取得し、
受信中の番組の映像を表示している場合において、所定のジャンルの番組を順次選局するときに操作される選局ボタンを表示することが指示されたとき、ジャンルの一覧を表示させ、
取得した前記電子番組ガイド情報を参照し、前記一覧から選択されたジャンルの番組を抽出し、
抽出した番組を放送するチャンネル番号を記憶し、
前記一覧から選択されたジャンルを表す文字を含む前記選局ボタンの画像を前記受信中の番組の映像に重ねて表示させ、前記選局ボタンが操作される毎に、前記選局ボタンの画像の表示はそのままに、そのとき表示されている番組の映像に代えて、記憶しているチャンネル番号で放送される番組の映像を順次表示させる
ステップを含む処理をコンピュータに実行させるためのプログラムが記録されている記録媒体。
【請求項４】
電子番組ガイド情報を取得し、
受信中の番組の映像を表示している場合において、所定のジャンルの番組を順次選局するときに操作される選局ボタンを表示することが指示されたとき、ジャンルの一覧を表示させ、
取得した前記電子番組ガイド情報を参照し、前記一覧から選択されたジャンルの番組を抽出し、
抽出した番組を放送するチャンネル番号を記憶し、
前記一覧から選択されたジャンルを表す文字を含む前記選局ボタンの画像を前記受信中の番組の映像に重ねて表示させ、前記選局ボタンが操作される毎に、前記選局ボタンの画像の表示はそのままに、そのとき表示されている番組の映像に代えて、記憶しているチャンネル番号で放送される番組の映像を順次表示させる
ステップを含む処理をコンピュータに実行させるためのプログラム。
【発明の詳細な説明】
【０００１】
【発明の属する技術分野】
本発明は、情報処理装置および方法、記録媒体、並びにプログラムに関し、特に、所望の番組を迅速に選択できるようにした情報処理装置および方法、記録媒体、並びにプログラムに関する。
【０００２】
【従来の技術】
ディジタル放送の分野などでは、番組を選択するための番組ガイドデータを、映像や音声などの番組データ等に多重化して伝送し、受信側の表示装置において、これを表示するようにした、いわゆるEPG(Electronic Program Guide)が知られている。
【０００３】
そして、このEPGにおいては、番組のジャンルを指定したり、番組のキーワードなどを入力して、使用者が好みの番組を容易に検索できるようになされている。例えば、番組のジャンルとしてスポーツを指定した場合、そのときに視聴可能なスポーツ番組のリストが表示されるため、使用者は、そのリストの中から視聴したいスポーツ番組を選択することができる。
【０００４】
【発明が解決しようとする課題】
しかしながら、そのようなリストの中から番組を選択した場合であっても、選択した番組が気に入らず、再度、番組を選択したいと思うこともある。その場合、使用者は、リモートコントローラなどで再びリストを表示させ、表示されたリストから、番組を選択し直す必要があるという課題があった。
【０００５】
すなわち、選択した番組の映像が表示されている場合において、使用者は、EPGを再び表示させ、ジャンルなどを指定し、リストを表示させる必要がある。また、一度設定したリストが所定のメモリなどに保存されている場合であっても、保存されているリストを表示させる必要がある。
【０００６】
本発明はこのような状況に鑑みてなされたものであり、所望する番組を迅速に選択できるようにしたものである。
【０００７】
【課題を解決するための手段】
本発明の情報処理装置は、電子番組ガイド情報を取得する取得手段と、受信中の番組の映像を表示している場合において、所定のジャンルの番組を順次選局するときに操作される選局ボタンを表示することが指示されたとき、ジャンルの一覧を表示させる表示制御手段と、前記取得手段により取得された前記電子番組ガイド情報を参照し、前記一覧から選択されたジャンルの番組を抽出する抽出手段と、前記抽出手段により抽出された番組を放送するチャンネル番号を記憶する記憶手段とを備え、前記表示制御手段は、前記一覧から選択されたジャンルを表す文字を含む前記選局ボタンの画像を前記受信中の番組の映像に重ねて表示させ、前記選局ボタンが操作される毎に、前記選局ボタンの画像の表示はそのままに、そのとき表示されている番組の映像に代えて、前記記憶手段に記憶されているチャンネル番号で放送される番組の映像を順次表示させる。
【００１０】
本発明の情報処理方法は、電子番組ガイド情報を取得し、受信中の番組の映像を表示している場合において、所定のジャンルの番組を順次選局するときに操作される選局ボタンを表示することが指示されたとき、ジャンルの一覧を表示させ、取得した前記電子番組ガイド情報を参照し、前記一覧から選択されたジャンルの番組を抽出し、抽出した番組を放送するチャンネル番号を記憶し、前記一覧から選択されたジャンルを表す文字を含む前記選局ボタンの画像を前記受信中の番組の映像に重ねて表示させ、前記選局ボタンが操作される毎に、前記選局ボタンの画像の表示はそのままに、そのとき表示されている番組の映像に代えて、記憶しているチャンネル番号で放送される番組の映像を順次表示させるステップを含む。
【００１１】
本発明の記録媒体は、電子番組ガイド情報を取得し、受信中の番組の映像を表示している場合において、所定のジャンルの番組を順次選局するときに操作される選局ボタンを表示することが指示されたとき、ジャンルの一覧を表示させ、取得した前記電子番組ガイド情報を参照し、前記一覧から選択されたジャンルの番組を抽出し、抽出した番組を放送するチャンネル番号を記憶し、前記一覧から選択されたジャンルを表す文字を含む前記選局ボタンの画像を前記受信中の番組の映像に重ねて表示させ、前記選局ボタンが操作される毎に、前記選局ボタンの画像の表示はそのままに、そのとき表示されている番組の映像に代えて、記憶しているチャンネル番号で放送される番組の映像を順次表示させるステップを含む処理をコンピュータに実行させるためのプログラムが記録されている。
【００１２】
本発明のプログラムは、電子番組ガイド情報を取得し、受信中の番組の映像を表示している場合において、所定のジャンルの番組を順次選局するときに操作される選局ボタンを表示することが指示されたとき、ジャンルの一覧を表示させ、取得した前記電子番組ガイド情報を参照し、前記一覧から選択されたジャンルの番組を抽出し、抽出した番組を放送するチャンネル番号を記憶し、前記一覧から選択されたジャンルを表す文字を含む前記選局ボタンの画像を前記受信中の番組の映像に重ねて表示させ、前記選局ボタンが操作される毎に、前記選局ボタンの画像の表示はそのままに、そのとき表示されている番組の映像に代えて、記憶しているチャンネル番号で放送される番組の映像を順次表示させるステップを含む処理をコンピュータに実行させる。
【００１３】
本発明の情報処理装置および方法、記録媒体のプログラムにおいては、電子番組ガイド情報が取得され、受信中の番組の映像を表示している場合において、所定のジャンルの番組を順次選局するときに操作される選局ボタンを表示することが指示されたとき、ジャンルの一覧が表示される。また、取得された前記電子番組ガイド情報が参照され、前記一覧から選択されたジャンルの番組が抽出され、抽出された番組を放送するチャンネル番号が記憶され、前記一覧から選択されたジャンルを表す文字を含む前記選局ボタンの画像が前記受信中の番組の映像に重ねて表示される。前記選局ボタンが操作される毎に、前記選局ボタンの画像の表示はそのままに、そのとき表示されている番組の映像に代えて、記憶されているチャンネル番号で放送される番組の映像が順次表示される。
【００１４】
【発明の実施の形態】
図１は、本発明を適用した情報処理装置１の構成例を示すブロック図である。
【００１５】
情報処理装置１は、基本的に、BS(Broadcasting Satellite)ディジタル放送波、または地上ディジタル放送波などから所定の番組データを抽出することが可能な、いわゆるSTB(Set Top Box)と、その番組の映像が表示される表示部（表示部１７）から構成されている。
【００１６】
主制御部１１は、いずれも図示しないCPU（Central Processing Unit）、ROM（Read Only Memory）、およびRAM（Random Access Memory）等から構成され、入力制御部１２からの通知に基づいて、情報処理装置１の全体の動作を制御する。
【００１７】
例えば、主制御部１１は、選局部１４からの出力に基づいて、ユーザが所望する番組の再生処理や、電子番組ガイド情報（以下、適宜、EPGデータと称する）に対応する画面を表示部１７に表示させたりする。
【００１８】
また、情報処理装置１において、ユーザは、例えば、所定のジャンルを設定して、そのジャンルの番組のみが順次表示されるボタン（ショートカットボタン３２（図５（Ｂ）参照））を表示させ、そのボタンを操作することで、番組を選択することができる。従って、主制御部１１は、供給されてきたEPGデータに基づいて、そのショートカットボタン３２に対応付ける番組を抽出する処理なども行う。処理の詳細については、フローチャートを参照して後述する。
【００１９】
入力制御部１２は、チャンネルを選択したり、音量を調節したりするときに操作される所定の操作ボタンや、リモートコントローラからの信号を受信する受光部よりなる入力部１３に、ユーザからの指示が入力されることに応じて、対応する信号を主制御部１１に出力する。
【００２０】
選局部１４は、アンテナ１５において受信されたディジタル放送波の受信信号を取得し、その受信信号から、主制御部１１の指示に基づいて、所定のチャンネルの信号を選局（抽出）して、主制御部１１に出力する。具体的には、選局部１４は、主制御部１１からの指示に基づいて、アンテナ１５で受信されたテレビジョン放送波からトランスポートストリームを取得し、取得したトランスポートストリームを構成するトランスポートパケットのヘッダに記述されている識別情報に基づいて、必要なパケットを抽出し、それを主制御部１１に出力する。
【００２１】
表示制御部１６は、主制御部１１により生成された画像信号に基づいて、CRT(Cathode Ray Tube)，LCD(Liquid Crystal Display)などよりなる表示部１７に番組の映像を表示させる。なお、音声信号については、映像信号と同様に、主制御部１１において再生処理が行われ、図示せぬスピーカから出力される。
【００２２】
EPGデータ記憶部１８は、主制御部１１から供給されてきたEPGデータを記憶し、例えば、EPGを表示部１７に表示するとき、または、ショートカットボタン３２に対応付けて設定する番組を抽出するときなど、必要に応じて、記憶されているEPGデータを主制御部１１に提供する。
【００２３】
リスト情報記憶部１９は、ショートカットボタン３２に対応付けて設定する、例えば、ユーザにより指示されたジャンルに対応する番組のリスト（以下、適宜、番組リストと称する）を記憶する。また、リスト情報記憶部１９には、それぞれの番組のチャンネル番号や、ショートカットアイコン３２の操作履歴（現在、表示部１７に表示されている番組を指定する情報）などが保存される。
【００２４】
主制御部１１は、ショートカットボタン３２が操作されたとき、このリスト情報記憶部１９に記憶されている情報を参照して、次に表示する番組を選択する。
【００２５】
図２は、リスト情報記憶部１９に記憶されている番組リストの例を示す図である。
【００２６】
図の番組リストは、ユーザにより、ジャンル（所定の情報）として「スポーツ」が設定された場合の例とされており、これに応じて、「スポーツ」に対応する番組が抽出され、そのチャンネル番号などの情報とともに保存されている。
【００２７】
また、図２においては、１０１チャンネルのサッカー中継と、１０５チャンネルのゴルフ中継と、２００チャンネルのプロ野球中継と、３００チャンネルのゴルフレッスンの番組が登録されている。
【００２８】
なお、１０１チャンネルのサッカー中継が、現在表示されている番組として所定の情報により指定されている。
【００２９】
以下、図１の情報処理装置１の処理について説明する。
【００３０】
始めに、図３のフローチャートを参照して、EPGデータを保存する情報処理装置の処理について説明する。
【００３１】
ステップＳ１において、主制御部１１は、例えば、電源が投入されたタイミングで、または、前回、EPGデータを保存してから、所定の期間が経過したタイミングで選局部１４を制御し、EPGデータを取得する。すなわち、選局部１４は、主制御部１１から指示されることに応じて、アンテナ１５から供給されてきた受信信号からEPGデータを取得し、それを主制御部１１に出力する。
【００３２】
ステップＳ２において、主制御部１１は、ステップＳ１で取得したEPGデータをEPGデータ記憶部１８に記憶させる。
【００３３】
これにより、ユーザから、ショートカットアイコン３２に対応付ける番組のジャンルを設定することが指示されたとき、主制御部１１は、その処理を行うことが可能となる。
【００３４】
次に、図４のフローチャートを参照して、ショートカットアイコン３２が操作されることに応じて、所定のチャンネルを選局する情報処理装置１の処理について説明する。
【００３５】
ステップＳ１１において、主制御部１１は、入力制御部１２からの出力に基づいて、ショートカットアイコン３２を表示することがユーザから指示されたか否かを判定し、指示されたと判定するまで待機する。
【００３６】
主制御部１１は、ステップＳ１１で、ショートカットアイコン３２を表示することが指示されたと判定した場合、ステップＳ１２に進み、番組リストの作成処理を実行する。番組リストの作成処理については、図８のフローチャートを参照して詳述する。
【００３７】
そして、主制御部１１は、表示制御部１６を制御し、それが操作されたときに、番組リストに登録されている番組を順次表示させるショートカットアイコン３２を表示部１７に表示させる。
【００３８】
図５（Ａ），（Ｂ）は、表示部１７に表示される番組の映像の例を示す図である。
【００３９】
例えば、図５（Ａ）に示すような番組が表示されており、ユーザによりショートカットアイコン３２を表示することが指示され、それに対応付ける、例えば、番組のジャンルが設定されたとき、ステップＳ１２で番組リストの作成処理が行われ、ステップＳ１３で、図５（Ｂ）に示すように、ショートカットアイコン３２が表示部１７に表示される。ショートカットアイコン３２には、例えば、ジャンルに対応する文字（図５の例においては、「スポーツ」の文字）や、画像が表示される。
【００４０】
なお、図５（Ａ），（Ｂ）において、表示されている番組のチャンネルは、右上方に設けられているチャンネル表示部３１に表示されているように、１００チャンネルである。
【００４１】
図４の説明に戻り、ステップＳ１４において、主制御部１１は、ショートカットアイコン３２が操作されたか否かを判定し、操作されたと判定するまで待機する。例えば、ユーザは、リモートコントローラに設けられているショートカットアイコンボタンを押下したり、表示部１７に表示されているポインタをマウスで移動させるなどして、ショートカットアイコン３２を操作する。
【００４２】
主制御部１１は、ステップＳ１４で、ショートカットアイコン３２が操作されたと判定した場合、ステップＳ１５に進み、リスト情報記憶部１９に記憶されている履歴情報を参照して、ショートカットアイコン３２の操作回数が０回か否か（番組リストに設定されている番組のうちの１番目に設定されている番組が表示されているか否か）を判定する。
【００４３】
主制御部１１は、ショートカットアイコン３２の操作回数が０回である、すなわち、ショートカットアイコン３２が操作されることに応じての選局動作をまだ行っていないと判定した場合、ステップＳ１６に進み、番組リストの最初（1番上）の番組を、表示させる番組として選択する。
【００４４】
そして、主制御部１１は、ステップＳ１６で選択した番組のチャンネル番号を選局部１４に通知し、そのチャンネルを選局することを指示する。これに応じて、ステップＳ１７において、選局部１４により選局が行われ、その番組データが主制御部１１に出力される。
【００４５】
ステップＳ１８において、主制御部１１は、供給されてきた番組データを表示制御部１６に出力し、対応する映像を表示部１７に表示させる。
【００４６】
図６は、ショートカットアイコン３２の操作に基づいて表示される番組の例を示す図である。
【００４７】
例えば、ジャンルとして「スポーツ」が指定され、図２に示すような番組リストがリスト情報記憶部１９に保存されている場合において、ユーザが図５（Ｂ）に示すショートカットアイコン３２を操作したとき、番組リストの最初に登録されているサッカー中継（チャンネル１０１）が選局され、その映像が表示部１７に表示される。
【００４８】
そして、主制御部１１は、ステップＳ１９において、リスト情報記憶部１９に記憶されている操作履歴（番組リスト中の、どの番組が現在表示されているかを指定する情報）を更新する。
【００４９】
例えば、図６に示したように、サッカー中継が表示されている場合、リスト情報記憶部１９には、ショートカットアイコン３２の操作回数が１回であることを指定する情報が記憶される。
【００５０】
ステップＳ２０において、主制御部１１は、表示部１７に表示されているショートカットアイコン３２を消すことが指示されたか否かを判定し、指示されたと判定した場合、ステップＳ２１に進み、その表示を消す。
【００５１】
主制御部１１は、ステップＳ２０で、ショートカットアイコン３２を消すことが指示されていないと判定した場合、ステップＳ１４に戻り、それ以降の処理を繰り返し実行する。
【００５２】
一方、ステップＳ１５において、ショートカットアイコン３２の操作回数が０回でない（現在表示されている番組が、番組リストに登録されている番組のうちの最初の番組でない）と判定した場合、ステップＳ２２に進み、操作履歴に基づいて、現在表示されている番組の次に番組リストに登録されている番組を、表示する番組として選択する。
【００５３】
そして、それ以降の処理が実行され、図２に示すような番組リストが記憶されており、現在、サッカー中継が表示されている場合、サッカー中継の次に番組リストに登録されているゴルフ中継（チャンネル１０５）が選局され、図７に示すように、その映像が表示部１７に表示される。
【００５４】
表示する番組を変更する毎に、ステップＳ１９において、操作履歴が更新され、例えば、操作回数が２回であることを指示する情報（ゴルフ中継が現在表示されている番組であることを指示する情報）がリスト情報記憶部１９に記憶される。
【００５５】
以上のような処理により、ユーザは、EPGをその都度表示させて、番組を選択することなく、ショートカットアイコン３２を操作するだけで、予め設定したジャンルの番組を順次表示させることが可能となる。すなわち、図２の番組リストの例において、ユーザは、ショートカットアイコン３２を操作するだけで、サッカー中継、ゴルフ中継、プロ野球中継、およびゴルフレッスンの順に、その映像を表示させることができる。
【００５６】
なお、EPGデータが更新される毎に、番組リストに登録される番組も更新されるようにしてもよい。これにより、ユーザがショートカットアイコン３２を操作したにもかかわらず、その番組が現在視聴できないものとなっているといったことを抑制することが可能となる。
【００５７】
次に、図８のフローチャートを参照して、図７のステップＳ１２において実行される、情報処理装置１の番組リスト作成処理について説明する。
【００５８】
ステップＳ３１において、主制御部１１は、表示制御部１６を制御し、ショートカットアイコン３２に対応させる番組の、ジャンルの選択画面を表示部１７に表示させる。
【００５９】
例えば、主制御部１１は、ジャンルの一覧を表示させて、ユーザに、好みのジャンルを選択させる。
【００６０】
ステップＳ３２において、主制御部１１は、入力制御部１２からの出力に基づいて、ショートカットアイコン３２に対応付けて登録する番組のジャンルがユーザにより選択されたか否かを判定し、選択されたと判定するまで待機する。
【００６１】
一方、主制御部１１は、ステップＳ３２で、ユーザによりジャンルが選択されたと判定した場合、ステップＳ３３に進み、EPGデータ記憶部１８に記憶されているEPGデータを参照し、選択されたジャンルに対応する番組を抽出して、抽出した番組からなる番組リストをリスト情報記憶部１９に記憶させる。
【００６２】
EPGデータには、それぞれの番組毎に、ジャンルを識別するための情報が付加されており、主制御部１１は、この識別情報に基づいて、番組を抽出する。
【００６３】
そして、ステップＳ３３の処理により、例えば、図２に示したような番組リストがリスト情報記憶部１９に保存される。
【００６４】
主制御部１１は、ステップＳ３４において、記憶されていた（前回設定した）番組リストの操作履歴をクリアし、今回の処理で番組を設定したショートカットアイコン３２が操作されたとき、番組リストの最初に登録されている番組が表示されるようにする。
【００６５】
ステップＳ３５において、主制御部１１は、ジャンルの選択画面の表示を消し、処理を終了させる。
【００６６】
上述した例においては、ユーザは、番組のカテゴリとして、番組のジャンルを設定するとしたが、それに基づいて番組を抽出できるものであれば、いずれの情報を設定するようにしてもよい。
【００６７】
例えば、ユーザが、所定のキーワードを入力し、そのキーワードに対応する番組により、番組リストが作成されるようにしてもよい。従って、例えば、ユーザが、好みの歌手の氏名をキーワードとして入力した場合、ショートカットアイコン３２を操作するだけで、その歌手が出演している番組を続けて表示させることができる。
【００６８】
上述した一連の処理は、ハードウェアにより実行させることもできるが、ソフトウェアにより実行させることもできる。この場合、例えば、情報処理装置１は、図９に示されるようなパーソナルコンピュータにより構成される。
【００６９】
図９において、CPU５１は、ROM５２に記憶されているプログラム、または、記憶部５８からRAM５３にロードされたプログラムに従って各種の処理を実行する。RAM５３にはまた、CPU５１が各種の処理を実行する上において必要なデータなどが適宜記憶される。
【００７０】
CPU５１、ROM５２、およびRAM５３は、バス５４を介して相互に接続されている。このバス５４にはまた、入出力インタフェース５５も接続されている。
【００７１】
入出力インタフェース５５には、キーボード、マウスなどよりなる入力部５６、CRT，LCDなどよりなるディスプレイ、並びにスピーカなどよりなる出力部５７、ハードディスクなどより構成される記憶部５８、モデム、ターミナルアダプタなどより構成される通信部５９が接続されている。通信部５９は、ネットワークを介しての通信処理を行う。
【００７２】
入出力インタフェース５５にはまた、必要に応じてドライブ６０が接続され、磁気ディスク６１、光ディスク６２、光磁気ディスク６３、或いは半導体メモリ６４などが適宜装着され、それから読み出されたコンピュータプログラムが、必要に応じて記憶部５８にインストールされる。
【００７３】
一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば、汎用のパーソナルコンピュータなどに、ネットワークや記録媒体からインストールされる。
【００７４】
この記録媒体は、図９に示すように、装置本体とは別に、ユーザにプログラムを提供するために配布される、プログラムが記録されている磁気ディスク６１（フロッピディスクを含む）、光ディスク６２（CD-ROM(Compact Disk-Read Only Memory)，DVD(Digital Versatile Disk)を含む）、光磁気ディスク６３（MD(Mini-Disk)を含む）、もしくは半導体メモリ６４などよりなるパッケージメディアにより構成されるだけでなく、装置本体に予め組み込まれた状態でユーザに提供される、プログラムが記録されているROM５２や、記憶部５８に含まれるハードディスクなどで構成される。
【００７５】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【００７６】
【発明の効果】
本発明の情報処理装置および方法、記録媒体のプログラムによれば、所望する番組を迅速に選択することができる。
【図面の簡単な説明】
【図１】本発明を適用した情報処理装置の構成例を示すブロック図である。
【図２】番組リストの例を示す図である。
【図３】情報処理装置の処理を説明するフローチャートである。
【図４】情報処理装置の他の処理を説明するフローチャートである。
【図５】表示部の表示例を示す図である。
【図６】表示部の他の表示例を示す図である。
【図７】表示部のさらに他の表示例を示す図である。
【図８】情報処理装置のさらに他の処理を説明するフローチャートである。
【図９】パーソナルコンピュータの構成例を示すブロック図である。
【符号の説明】
１  情報処理装置，  １１  主制御部，  １４  選局部  １６  表示制御部，１７  表示部，  １８  EPGデータ記憶部，  １９  リスト情報記憶部，  ３２  ショートカットアイコン，  ６１  磁気ディスク，  ６２  光ディスク，  ６３  光磁気ディスク，  ６４  半導体メモリ
【図１】
0004582381.tif 000002
【図２】
0004582381.tif 000003
【図３】
0004582381.tif 000004
【図４】
0004582381.tif 000005
【図５】
0004582381.tif 000006
【図６】
0004582381.tif 000007
【図７】
0004582381.tif 000008
【図８】
0004582381.tif 000009
【図９】
0004582381.tif 000010